(57)【特許請求の範囲】
【請求項１】
塵埃を吸い込む塵埃吸込口から掃除機本体内に設けられかつファンケースを備える電動送風機の吸込開口までの吸込風路の途中に空気中に含まれた塵埃を除去する塵埃除去手段を備えた電気掃除機において、
前記電動送風機を前記掃除機体内に弾性的に支持する弾性ばね部材と、
前記ファンケースの後部に設けられ、モータ軸受が挿入される軸受挿入部と、
この軸受挿入部が適宜挿脱する受け部と、
この受け部が設けられた受け部形成部を備え、
前記電動送風機の運転停止中、前記軸受挿入部は前記受け部に挿入されて前記受け部で受けられた状態にあり、
前記電動送風機の運転中、電動送風機が推力で軸方向の前方に移動することで、前記軸受挿入部は前記受け部と離間して、この受け部から脱して自由になり、
前記電動送風機の運転停止後、前記軸受挿入部は前記受け部に再び挿入され、この挿入状態を保つことを特徴とする電気掃除機。
【請求項２】
前記軸受挿入部と前記受け部間に弾性部材が介在することを特徴とする請求項１に記載の電気掃除機。
【請求項３】
前記弾性部材は、前記受け部に設けられ、受け部形成部の取付面から前記軸受挿入部側に突出することを特徴とする請求項１または２に記載の電気掃除機。
【請求項４】
前記受け部形成部は、前記電動送風機を覆い、弾性ばね部材の一端が取り付けられるカバーの一部であり、このカバーの後面部に前記受け部が設けられ、前記電動送風機は前記カバーを介して前記掃除機本体に取り付けられることを特徴とする請求項１ないし３のいずれか１項に記載の電気掃除機。
【請求項５】
前記受け部形成部は、前記電動送風機を覆い、弾性ばね部材の一端が取り付けられるカバーの一部であり、このカバーの後面部に前記受け部が設けられ、前記電動送風機は前記カバーを介して前記掃除機本体に取り付けられ、前記軸受挿入部と受け部間に弾性部材が介在することを特徴とする請求項１に記載の電気掃除機。
【請求項６】
前記受け部形成部は、前記電動送風機を覆い、弾性ばね部材の一端が取り付けられるカバーの一部であり、このカバーの後面部に前記受け部が設けられ、前記弾性部材は、前記受け部に設けられ、受け部形成部の取付面から前記軸受挿入部側に突出することを特徴とする請求項１に記載の電気掃除機。
【発明の詳細な説明】
【技術分野】
【０００１】
本発明は電気掃除機に係り、特に電動送風機の取り付け構造を改良した電動送風機を備えた電気掃除機に関する。
【背景技術】
【０００２】
一般に電気掃除機は、掃除機本体に設けた電動送風機の回転により生じる負圧を利用して、掃除機本体に連通される吸込ホースの先端に設けた吸込口体から空気とともに床などに溜まった塵埃を吸い込み、掃除機本体に内装された高速分離方式の塵埃除去手段あるいはフィルタで塵埃を捕獲して、床などの掃除を行うものである。
【０００３】
電気掃除機に用いる電動送風機は、この電動送風機の回転アンバランスによる振動が本体に伝わり、不快な騒音を発生する。このような電動送風機の振動を防振するための、防振構成の条件は、振動の小さい位置を支持し、充分に柔らかく、また、径方向には電動送風機の重量、軸方向には電動送風機の吸引力を支持する必要がある。
【０００４】
そこで、電動送風機の重心近くと掃除機本体の間に、この掃除機本体に設けた外周リングを介して設置されたばね部材と、モータと掃除機本体の間に空隙を設けて設置された衝撃吸収用の後部弾性体と、ファン部外周と本体の間に空隙を設けて設置された衝撃吸収用の前部弾性体を用いて、電動送風機を掃除機本体に弾性支持する電気掃除機が提案されている（例えば、特許文献１参照）。
【０００５】
しかしながら、特許文献１に記載の電気掃除機は、モータが掃除機本体に直接弾性支持され、常時軸受挿入部及び弾性部材がリブ後間に挿入状態にあるので、電動送風機の運転中、電動送風機の振動により、軸受挿入部及び弾性部材はリブ後に触れて、振動が掃除機本体に伝播し、静かな運転ができない。また、軸受挿入部及び弾性部材とリブ後間は大きく離間しているので、電動送風機の停止中、集塵ホースを引いて掃除機本体を移動させる際、電動送風機の揺れが大きく、電動送風機が損傷する可能性がある。
【特許文献１】特開平５−８４１９４号公報
【発明の開示】
【発明が解決しようとする課題】
【０００６】
本発明は上述した事情を考慮してなされたもので、電動送風機から掃除機本体に伝播される振動を抑制して、静かに運転でき、かつ電動送風機の停止中、集塵ホースを引いて掃除機本体を移動させても電動送風機の揺れがなく、静かな電気掃除機を提供することを目的とする。
【課題を解決するための手段】
【０００７】
上述した目的を達成するため、本発明に係る電気掃除機は、塵埃を吸い込む塵埃吸込口から掃除機本体内に設けられかつファンケースを備える電動送風機の吸込開口までの吸込風路の途中に空気中に含まれた塵埃を除去する塵埃除去手段を備えた電気掃除機において、前記電動送風機を前記掃除機体内に弾性的に支持する弾性ばね部材と、前記ファンケースの後部に設けられ、モータ軸受が挿入される軸受挿入部と、この軸受挿入部が適宜挿脱する受け部と、この受け部が設けられた受け部形成部を備え、前記電動送風機の運転停止中、前記軸受挿入部は前記受け部に挿入されて前記受け部で受けられた状態にあり、前記電動送風機の運転中、電動送風機が推力で軸方向の前方に移動することで、前記軸受挿入部は前記受け部と離間して、この受け部から脱して自由になり、前記電動送風機の運転停止後、前記軸受挿入部は前記受け部に再び挿入され、この挿入状態を保つことを特徴とする。
【発明の効果】
【０００８】
本発明に係る電気掃除機によれば、電動送風機から掃除機本体に伝播される振動を抑制して、静かに運転でき、かつ電動送風機の停止中、集塵ホースを引いて掃除機本体を移動させても電動送風機の揺れがなく、静かな電気掃除機を提供することができる。
【発明を実施するための最良の形態】
【０００９】
本発明の第１実施形態に係る電気掃除機について図面を参照して説明する。
【００１０】
図１は本発明の第１実施形態に係る電気掃除機の外観を示す斜視図であり、図２は電気掃除機の掃除機本体の構成を示す縦断面図である。
【００１１】
図１及び図２に示すように、本第１実施形態に係る電気掃除機１は、掃除機本体１１と、この掃除機本体１１の接続口１１ａに一端が着脱自在に接続され、その他端には手元操作管１２が設けられている集塵ホース１３と、手元操作管１２に着脱自在に接続した延長管１４と、この延長管１４の先端部に着脱自在に接続された吸込口体１５とを備える。手元操作管１２には操作部１２ａが設けられ、この操作部１２ａには複数の操作スイッチ１２ｂが設けられる。
【００１２】
吸込口体１５には、その底面に塵埃を吸引する図示しない吸込開口（塵埃吸込口）を形成した吸込室（図示せず）が形成され、この吸込室は延長管１４および集塵ホース１３を介して掃除機本体１１内に設けた集塵ユニット３０の吸込接続口（図示せず）に連通している。
【００１３】
掃除機本体１１は、本体ケース２０と、本体ケース２０内に着脱自在に装着される集塵ユニット３０と、本体ケース２０に開閉可能に設けられた蓋体２１とを備える。
【００１４】
本体ケース２０の前側には、集塵ユニット３０が着脱自在に装着される集塵ユニット室（装着部）２２が形成され、この集塵ユニット室２２の上部開口２３は蓋体２１によって密閉される。また、本体ケース２０の後側には電動送風機２４が設けられ、この電動送風機２４の前側に前面開口２５ａを有する円筒状の接続風路部２５が形成され、この接続風路部２５内には格子部材２５ｂが配置され、前面開口２５ａにはシールリング２６が装着される。接続風路部２５の後壁２５ｃには接続開口２５ｄが形成され、この接続開口２５ｄと電動送風機２４の吸込開口２４ａとが連通する。
【００１５】
集塵ユニット３０は、掃除機本体１１の接続口１１ａと電動送風機２４の吸込開口２４ａまでの吸込風路の途中に着脱自在に装着され、掃除機本体１１内から取り出せる。
【００１６】
また、集塵ユニット３０は、第１の塵埃除去手段と第２集塵手段からなる塵埃分離手段を備え、第１の塵埃除去手段は、高速で流れる空気中に含まれる塵埃を重力差で分離する高速分離方式を採用し、塵埃分離部３１、集塵部３２およびネットフィルタ３３を備え、第２の塵埃分離手段として、塵埃分離部３１と一体に設けられるプリーツフィルタ３４とから構成される。プリーツフィルタ３４は上流側が山部３４ａが形成され、前壁部３５ａに塵埃分離部３１が一体に形成される収納ケース３５に収納される。
【００１７】
収納ケース３５の前壁部３５ａには、接続開口３５ｂが形成され、この接続開口３５ｂが吸引風路部３６に接続される。そして、接続開口３５ｂを介して収納ケース３５内と吸引風路部３６とが連通する。
【００１８】
図３はカバーに覆われた電動送風機の斜視図であり、図４はその断面図であり、図５はファンケース近傍の斜視図である。
【００１９】
図３〜図５に示すように、電動送風機２４はファンケース４１で覆われたいずれも図示しない遠心ファンと、この遠心ファンの外周に設けられるディフューザ、遠心ファンを回転軸を介して回転させるモータ４２と、これらを覆うカバー４３とで構成される。
【００２０】
カバー４３は掃除機本体１１とファンケース４１間に介設され、合成樹脂製で、遠心ファンとモータ前部を覆う前カバー４４と、この前カバー４４と一体的に螺着されモータ後部を覆う後カバー４５とからなり、本発明の受け部形成部は例えばカバー４３の一部を構成する後カバー４５の一部である。
【００２１】
電動送風機２４はカバー４３に覆われ、カバー４３に弾性支持される。従って、電動送風機２４で発生する騒音、振動のカバー４３への伝播は抑制される。
【００２２】
このような弾性支持は、前カバー４４に嵌め込まれた金属製円形リング状の補強リング５１と、ばね一端４９ａが円筒形状のモータケース４１に固定され、ばね他端４９ｂが前カバー４４に嵌め込まれた補強リング５１に固定され、例えば等間隔（９０°間隔）で配される４本のばね部材４９により行われる。
【００２３】
前カバー４４は、補強リング５１が嵌め込まれる部分が、各角部が直線状に角取りされた略正方形をなし、直線部には内方に突出する４個の係合凹部４４ｅが設けられる。
【００２４】
ばね一端４９ａのモータケース４１への固定は、ばね一端４９ａをばね係止部５２ａに係合することで行われ、このばね係止部５２ａは円形リング状で電動送風機重心位置のファンケース４１に巻き付け固定されたばね固定部材５２に等間隔で４個設けられる。
【００２５】
一方、補強リング５１には、ばね他端４９ｂが係合するばね係合部５１ａが外方に突出し、ばね部材４９の配置位置に対応して、等間隔で４個設けられる。ばね他端４９ｂの補強リング５１への固定は、ばね他端４９ｂをばね係合部５１ａに係合することで行われる。
【００２６】
従って、電動送風機２４の回転に伴う径方向の振動の大部分と軸方向の振動の一部は、ばね部材４９によって吸収される。
【００２７】
また、前カバー４４は円筒形状をなし、前部に円板状の前板部４４ａが設けられ、この前板部４４ａの中央にはシール部材取付孔４４ｂが設けられる。
【００２８】
さらに、シール部材取付孔４４ｂには、截頭円錐中空体からなる軟質合成樹脂製のシール部材４６の小径部４６ａが嵌め込まれ、その端面４６ｂがファンケース４１の中央に設けられた前板部４４ａに当接し、シール部材４６に設けた通気路部４６ｃ、遠心ファンの吸込開口２４ａに連通する。
【００２９】
図６に示すように、シール部材４６は、前部カバー支持部材４７より柔らかい弾性材からなり、無底の皿状部４６ｄと小径部４６ａを介して連通される無底の椀状部４６ｅで形成され、皿状部４６ｄと椀状部４６ｅは通気路部４６ｃで連通される。
【００３０】
従って、電動送風機２４の回転に伴う径方向の振動の一部は、椀状部４６ｅによって吸収される。
【００３１】
また、図４に示す後カバー４５には後板部４５ａが設けられ、この後板部４５ａの中央には、本発明の受け部である円筒形状の挿入部収容凹部４５ｂが設けられる。
【００３２】
この挿入部収容凹部４５ｂには、リング状の弾性部材４８が後板部４５ａの取付面４５ａ１から後述の軸受挿入部４１ａ側に突出する突出部４８ａを設けて取り付けられる。
【００３３】
図７に示すように、電動送風機２４の運転停止状態では、モータ４２の軸受部（図示せず）をファンケース４１に設けられた軸受挿入部４１ａに収容し、軸受挿入部４１ａが軸受け挿入部収容凹部４５ｂに緩やかに係合する。従って、電動送風機２４の運転停止中、集塵ホースを引いて掃除機本体を移動させても、弾性体４８により揺れがなく、静かで電動送風機２４に衝撃を与えることがない。また、掃除機本体を立てた状態で収納する場合にも弾性部材４８及び挿入部収容凹部４５ｂで軸受挿入部４1ａの周辺を受けるので、軸受挿入部４１ａや電動送風機２４に与える衝撃が軽減される。さらに、弾性部材４８が介在するので、より確実に電動送風機２４への衝撃が吸収される。
【００３４】
これに対して、電動送風機２４の運転状態では、図８に示すように、電動送風機２４のスラスト力により、電動送風機２４は前方に引っ張られるため、軸受挿入部４１ａは後板部４５ａの取付面４５ａ１から完全に離間し、弾性部材４８の突出部４８ａ内にとどまる（挿入されている）。従って、電動送風機２４が径方向に振動しても、軸受挿入部４１ａが取付面４５ａ１に衝突することがなく、さらに、万一、電気掃除機1が落下状態になっても、軸受挿入部４１ａが突出部４８ａで緩衝的に支持される。
【００３５】
なお、弾性部材４８は図７及び図８に示すように、挿入部収容凹部４５ｂに弾性部材４８を設けて取り付けることに替えて、図９及び図１０に示す受挿入部と受け部形成部の第１変形例のように、軸受挿入部４１ａにリング状の弾性部材４８を外嵌して取り付けてもよく、この場合にも、挿入部収容凹部４５ｂに弾性部材４８を設ける場合と同様の効果を奏する。
【００３６】
また、図１１及び図１２に示す受挿入部と受け部形成部の第２変形例のように、軸受挿入部４１ａに外嵌される弾性部材４８を扁平なリング状にし、さらに、外方に延びるフランジ４８ｂを設けることで、停止中、電動送風機２４の運転停止中、集塵ホースを引いて掃除機本体を移動させても、弾性体４８により揺れがなく、静かで、軸受挿入部４１ａや電動送風機２４に衝撃を与えることがない。また、掃除機本体を立てた状態で収納する場合にも弾性部材４８及び挿入部収容凹部４５ｂで軸受挿入部４1ａの周辺を受けるので、軸受挿入部４１ａや電動送風機２４に与える衝撃が軽減される。運転中、軸受挿入部４１ａがフリーとなるため他の部分と衝突することがない。
【００３７】
さらに、挿入部収容凹部と軸受挿入部間に弾性部材を介在させず、図１３及び図１４に示す受挿入部と受け部形成部の第３変形例のように、軸受挿入部４１ａが挿入部収容凹部４５ｂに直接当接するようにしても、停止中、電動送風機２４の運転停止中、集塵ホースを引いて掃除機本体を移動させても、揺れがなく、静かで、軸受挿入部４１ａや電動送風機２４に衝撃を与えることがない。また、掃除機本体を立てた状態で収納する場合にも挿入部収容凹部４５ｂで軸受挿入部４1ａの周辺を受けるので、軸受挿入部４１ａや電動送風機２４に与える衝撃が軽減される。運転中、軸受挿入部４１ａがフリーとなるため他の部分と衝突することがない。この場合、挿入部収容凹部４５ｂの形成部材が、軟質合成樹脂製であるのが好ましい。
【００３８】
上記のようにカバー４３で覆われ、弾性支持された電動送風機２４は、図２及び図４に示すように、本体ケース２０の内部に一体に設けられた取付部あるいは一体的に設けられた前側上下２個の取付部材からなる取付部６０及び、後側上下２個の取付部６１によって、本体ケース２０内に取り付けられる。
【００３９】
この取り付け用の取付部６０には大径の半円状の取付凹部６０ａが設けられ、取付部６１には小径の半円状の取付凹部６１ａが設けられる。
【００４０】
従って、その取り付けは、取付凹部６０ａを前部カバー支持部材４７のコ字状の取付部４７ａに嵌め込み、取付凹部６１ａを後部カバー支持部材６２のリング外周面に嵌め込むことで行われる。
【００４１】
電動送風機２４がカバー４３に覆われた状態で、いずれも図示しないディフューザに設けた空気吐出口から吐出された空気が、モータ４２に設けた排気通気路を通り、ファンケース４１に設けた排気孔４１ｂ、後カバー４５の下部外周に設けた排気通気孔４５ｄを介して本体ケース２０内に吹き出され、図２に示し電動送風機２４の後方に位置する本体ケース２０に設けた排気孔２０ａから本体ケース２０外に排気される。
【００４２】
本第１実施形態の電気掃除機は、電動送風機２４がカバー４３で覆われるので、電動送風機２４で発生する騒音のファンケース４１への伝播は抑制され、さらに、電動送風機２４の運転中、電動送風機２４が推力で軸方向の前方に移動して、軸受挿入部４１ａが挿入部収容凹部４５ｂと離間して、挿入部収容凹部４５ｂから脱し、電動送風機２４の停止中、軸受挿入部４１ａが挿入部収容凹部４５ｂに挿入された状態を保つ。
【００４３】
従って、電気掃除機の使用時、電動送風機２４が径方向に振動しても、軸受挿入部４１ａが突出部４８ａ及び取付面４５ａ１に衝突することがなく、静かであり、また、不使用時、集塵ホースを引いて掃除機本体１１を移動させても、揺れがなく、静かで電動送風機２４に衝撃を与えることがなく、掃除機本体１１を立てた状態で収納する場合にも弾性部材４８及び挿入部収容凹部４５ｂで軸受挿入部４１ａを受け、電動送風機２４に衝撃を与えることがない。
【００４４】
本第１実施形態に係る電気掃除機によれば、電動送風機から掃除機本体に伝播される振動を抑制して、静かに運転でき、かつ電動送風機の停止中、集塵ホースを引いて掃除機本体を移動させても電動送風機の揺れがなく、静かな電気掃除機が実現する。
【００４５】
次に本発明の第２実施形態に係る電気掃除機について説明する。
【００４６】
第１実施形態が受け部を設けた受け部形成部がカバーの一部であり、電動送風機の後部をカバーを介して本体ケースで適宜支持するのに対して、本第２実施形態は、カバーを設けず、電動送風機を本体ケースに取り付け、受け部形成部材をなす支持部材に受け部を設け、この支持部材で電動送風機の後部を適宜支持する。
【００４７】
例えば、図１５に示すように、ばね部材４９によって本体ケース２０に弾性支持された電動送風機２４は、シール部材４６を介して本体ケース２０の内部に一体に設けられたあるいは一体的に設けられた前側支持部材６０Ａに前側が柔軟に支持される。
【００４８】
一方、ファンケースの後側は軸受挿入部４１ａを弾性部材４８及び本発明における受け部としての挿入部収容凹部６０Ａａあるいは受け透孔で適宜受けられる。
【００４９】
この挿入部収容凹部６０Ａａは電動送風機２４を本体ケース２０に適宜支持する本発明における受け部形成部としての支持部材６１Ａに設けられる。
【００５０】
挿入部収容凹部６０Ａａには、リング状の弾性部材４８が支持部材６１Ａの取付面６１Ａｂから突出する突出部４８ａを設けて取り付けられる。
【００５１】
これにより、図７に示すと同様に、電動送風機２４の運転停止状態では、モータ４２の軸受部を収容し、ファンケース４１に設けられた軸受挿入部４１ａが緩やかに係合する。従って、集塵ホースを引いて掃除機本体を移動させても、電動送風機が全くフリーな状態でないので、揺れがなく、静かで電動送風機に衝撃を与えることがない。
【００５２】
また、掃除機本体を立てた状態で収納する場合にも弾性部材４８及び挿入部収容凹部６０Ａａで軸受挿入部４１ａを受けるので、電動送風機に衝撃を与えることがない。
【００５３】
電動送風機２４の運転状態では、図８と同様に、電動送風機２４のスラスト力により、電動送風機２４は前方に引っ張られるため、軸受挿入部４１ａは弾性部材４８の突出部４８ａ及び取付部６１Ａの取付面６１Ａｂから完全に離間する。従って、電動送風機２４が径方向に振動しても、軸受挿入部４１ａが突出部４８ａ及び取付面６１Ａｂに衝突することがない。
【００５４】
なお、他の構成は図２に示す電気掃除機と異ならないので、同一符号を付して説明は省略する。
【００５５】
本第２実施形態に係る電気掃除機によれば、電動送風機から掃除機本体に伝播される振動を抑制して、静かに運転でき、かつ電動送風機の停止中、集塵ホースを引いて掃除機本体を移動させても電動送風機の揺れがなく、静かな電気掃除機が実現する。
【００５６】
また、ハンディ型やアップライト型電気掃除機にも採用可能である。
【図面の簡単な説明】
【００５７】
【図１】本発明の第１実施形態に係る電気掃除機の外観を示す斜視図。
【図２】本発明の第１実施形態に係る電気掃除機の掃除機本体の構成を示す縦断面図。
【図３】本発明の第１実施形態に係る電気掃除機のカバーに覆われた電動送風機の斜視図。
【図４】本発明の第１実施形態に係る電気掃除機の電動送風機の断面図。
【図５】本発明の第１実施形態に係る電気掃除機に用いるファンケース近傍の斜視図。
【図６】本発明の第１実施形態に係る電気掃除機に用いるシール部材の斜視図。
【図７】本発明の第１実施形態に係る電気掃除機のファンカバーに設ける軸受挿入部と受け部の運転停止状態の縦断面図。
【図８】本発明の第１実施形態に係る電気掃除機のファンカバーに設ける軸受挿入部と受け部の運転状態の縦断面図。
【図９】本発明の第１実施形態に係る電気掃除機のファンカバーに設ける軸受挿入部と受け部の第１変形例の運転停止状態の縦断面図。
【図１０】本発明の第１実施形態に係る電気掃除機のファンカバーに設ける軸受挿入部と受け部の第１変形例の運転状態の縦断面図。
【図１１】本発明の第１実施形態に係る電気掃除機のファンカバーに設ける軸受挿入部と受け部の第２変形例の運転停止状態の縦断面図。
【図１２】本発明の第１実施形態に係る電気掃除機のファンカバーに設ける軸受挿入部と受け部の第２変形例の運転状態の縦断面図。
【００５８】
本発明の一実施形態に係る電気掃除機に用いるシール部材の斜視図。
【図１３】本発明の第１実施形態に係る電気掃除機のファンカバーに設ける軸受挿入部と受け部の第３変形例の運転停止状態の縦断面図。
【図１４】本発明の第１実施形態に係る電気掃除機のファンカバーに設ける軸受挿入部と受け部の第３変形例の運転状態の縦断面図。
【図１５】本発明の第２実施形態に係る電気掃除機の電動送風機近傍の断面を示す縦断面図。
【符号の説明】
【００５９】
１  電気掃除機
１１  掃除機本体
１２  手元操作管
１３  集塵ホース
１５  吸込口体
２０  本体ケース
２０ａ  本体排気孔
２２  集塵ユニット室（装着部）
２４  電動送風機
２４ａ  吸込開口
２５  接続風路部
２５ａ  前面開口
３０  集塵ユニット
３４  プリーツフィルタ
３５  収納ケース
４１  ファンケース
４１ａ  軸受挿入部
４１ｂ  ケース排気孔
４２  モータ
４３  カバー
４４  前カバー
４４ａ  前板部
４４ｂ  シール部材取付孔
４４ｃ  段部
４４ｅ  係合凹部
４５  後カバー
４５ａ  後板部
４５ａ１  取付面
４５ｂ  挿入部収容凹部
４５ｄ  カバー排気孔
４６  シール部材
４６ｅ  椀状部
４７  前部カバー支持部材
４８  弾性部材
４９  ばね部材
４９ａ  ばね一端
４９ｂ  ばね他端
５１  補強リング
５１ａ  ばね係合部
５２  ばね固定部材
５２ａ  ばね係止部
６０  取付部
６０ａ  取付凹部
６１  取付部
６１ａ  取付凹部
６２  後部カバー支持部材
【図１】
0005209328.tif 000002
【図２】
0005209328.tif 000003
【図３】
0005209328.tif 000004
【図４】
0005209328.tif 000005
【図５】
0005209328.tif 000006
【図６】
0005209328.tif 000007
【図７】
0005209328.tif 000008
【図８】
0005209328.tif 000009
【図９】
0005209328.tif 000010
【図１０】
0005209328.tif 000011
【図１１】
0005209328.tif 000012
【図１２】
0005209328.tif 000013
【図１３】
0005209328.tif 000014
【図１４】
0005209328.tif 000015
【図１５】
0005209328.tif 000016